(57)【特許請求の範囲】
【請求項１】
原稿を露光走査により読取り、光電変換された画像信号を出力する撮像手段と、前記画像信号をアナログ処理するアナログ処理手段と、該アナログ処理手段の出力画像信号を増幅し、ピーク値の検出保持と放出とを充放電回路により繰り返すことにより、地肌信号を出力する地肌信号出力手段と、前記地肌信号をリファレンス信号として、前記アナログ処理手段の出力画像信号に対して、地肌除去を施した状態でＡＤ変換を行なうＡＤ変換手段とを備えた画像読取装置であり、
前記ＡＤ変換手段の出力画像信号の画像特性を、該出力画像信号のピクセルレベルが所定のレベル以上、または所定のレベル以下である状態が連続するか否かにより検出する画像特性検出手段と、
該画像特性検出手段の検出結果に基づいて、前記地肌信号出力手段の充電速度及び放電速度を変更設定する充放電速度設定手段とを有することを特徴とする画像読取装置。
【請求項２】
請求項１記載の画像読取装置に対して、
前記画像特性検出手段の検出結果に基づいて、前記地肌信号出力手段のゲイン電位を変更設定するゲイン電位設定手段と、
前記画像特性検出手段の検出結果に基づいて、前記充放電速度設定手段または前記ゲイン電位設定手段の何れかを選択して前記地肌信号出力手段に地肌信号出力動作を行なわせる動作モード選択手段とがさらに設けられていることを特徴とする画像読取装置。
【請求項３】
請求項２記載の画像読取装置に対して、
前記画像特性検出手段が、予め設定した所定条件として前記ＡＤ変換手段の出力画像信号のピクセルレベルが所定のレベル以上、または所定のレベル以下である状態が連続しないことを検出すると、前記動作モード選択手段に前記ゲイン電位設定手段を選択させ、前記画像特性検出手段が前記予め設定した所定条件を検出しないと、前記動作モード選択手段に前記充放電速度設定手段を選択させて、前記地肌信号出力手段に地肌信号出力動作を行なわせる動作制御手段がさらに設けられていることを特徴とする画像読取装置。
【請求項４】
請求項３記載の画像読取装置において、
前記予め設定した所定条件が、３ピクセル以上連続した上限基準値を越えるピクセルレベルの検出、または３ピクセル以上連続した下限基準値を下回るピクセルレベルの検出であることを特徴とする画像読取装置。
【発明の詳細な説明】
【０００１】
【発明の属する技術分野】
本発明は画像読取装置に係り、特に読取画像のノイズとなる原稿の地肌除去機能を備えた画像読取装置に関する。
【０００２】
【従来の技術】
原稿画像の複写や印刷を行なうために原稿画像の読取りを行なう画像読取装置では、原稿の地肌は読み取られた画像データのノイズとなるので、高精度の画像読取りを行なうためには、原稿の地肌除去を行なうことが必要になる。
このために、ピークホールド回路を使用した地肌除去の方式が使用されており、この方式では、原稿の読取画像信号が分圧されてピークホールド回路に逐次入力され、ピークホールド回路でピーク値に基づく地肌信号が作成され、得られた地肌信号が、原稿の読取画像が入力されるＡＤ変換回路にリファレンス電圧として入力され、ＡＤ変換回路から原稿地肌が除去された原稿の読取画像信号が取りだされ、原稿画像の複写や印刷に利用されている。
【０００３】
【発明が解決しようとする課題】
しかし、前述した従来の方式では、読み取られる原稿がどのような原稿画像を備えたものかが、読取り前には不明であるために、ピークホールド回路で作成される地肌信号のレベルが、実際の地肌レベルと一致しないことがある。
例えば、図７（ａ）に示すように、網点部の縁取り３３が全周に修飾領域として形成され、文字画像３５を有する原稿３０は、通常の印刷物やポスターによく使用されるものである。
このような原稿３０を、従来の方式で読み取ると、原稿３０には読み始めの領域に網点部の縁取り３３が存在するために、ピークホールド回路から出力されるピーク値に基づく地肌信号は、ＭＴＦ（Ｍｏｄｕｒａｔｉｏｎ  Ｔｒａｎｓｆｅｒ  Ｆｕｎｃｔｉｏｎ；空間周波数特性）低下の影響を受けて、実際の原稿の地肌信号のレベルよりも低いレベルで出力されてしまう。
【０００４】
このために、原稿３０の読取画像３２は、図７（ｃ）のように、同図（ａ）に示す原稿３０の読み始めの網点部の縁取り３３が存在する領域では、地肌を実際とは異なる白地の地肌として読取り、網点部の縁取り３３がない領域に入った時点で、実際の地肌信号のレベルに対応する地肌信号が出力され、該時点以降の領域では、原稿３０の網点部の縁取り３３に対応する網点部の縁取り３３Ａと文字画像３３とが、原稿３０と同一レベルの地肌の上に読み取られる。
【０００５】
本発明は、前述したようなこの種の画像読取装置の原稿読取り動作の現状に鑑みてなされたものであり、その目的は、地肌領域で空間周波数特性（ＭＴＦ）の低下が引き起こされる原稿に対しても、高精度な原稿の読取を行い、高品質の原稿読取信号を取得可能な画像読取装置を提供することにある。
【０００６】
【課題を解決するための手段】
前記目的を達成するために、請求項１記載の発明は、原稿を露光走査により読取り、光電変換された画像信号を出力する撮像手段と、前記画像信号をアナログ処理するアナログ処理手段と、該アナログ処理手段の出力画像信号を増幅し、ピーク値の検出保持と放出とを充放電回路により繰り返すことにより、地肌信号を出力する地肌信号出力手段と、前記地肌信号をリファレンス信号として、前記アナログ処理手段の出力画像信号に対して、地肌除去を施した状態でＡＤ変換を行なうＡＤ変換手段とを備えた画像読取装置であり、
前記ＡＤ変換手段の出力画像信号の画像特性を、該出力画像信号のピクセルレベルが所定のレベル以上、または所定のレベル以下である状態が連続するか否かにより検出する画像特性検出手段と、
該画像特性検出手段の検出結果に基づいて、前記地肌信号出力手段の充電速度及び放電速度を高速に変更設定する充放電速度設定手段とを有することを特徴とするものである。
【０００７】
このような手段によると、撮像手段の露光走査によって原稿が読取られて、光電変換された画像信号が出力され、アナログ処理手段によって、撮像手段から出力される画像信号がアナログ処理され、地肌信号出力手段によって、アナログ処理手段の出力画像信号が増幅され、ピーク値の検出保持と放出とが繰り返されることによって地肌信号が作成出力され、得られた地肌信号をリファレンス信号として、ＡＤ変換手段によってアナログ処理手段の出力画像信号に対して、地肌除去処理を施した状態でＡＤ変換が行なわれる。この場合、画像特性検出手段によって、ＡＤ変換手段の出力画像信号の画像特性が、該出力画像信号のピクセルレベルが所定のレベル以上、または所定のレベル以下である状態が連続するか否かにより検出され、得られる検出結果に基づいて、充放電速度設定手段によって、地肌信号出力手段の充電速度及び放電速度を変更設定（例えば、高速に）されるので、原稿に細かい網点や地紋が存在する際における地肌除去動作の動作特性の劣化を避けて、原稿の細かい網点や地紋を忠実に読み取ることにより高品質の原稿読取りが行なわれる。
【０００８】
同様に前記目的を達成するために、請求項２記載の発明は、請求項１記載の画像読取装置に対して、
前記画像特性検出手段の検出結果に基づいて、前記地肌信号出力手段のゲイン電位を変更設定するゲイン電位設定手段と、
前記画像特性検出手段の検出結果に基づいて、前記充放電速度設定手段または前記ゲイン電位設定手段の何れかを選択して前記地肌信号出力手段に地肌信号出力動作を行なわせる動作モード選択手段とがさらに設けられていることを特徴とする。
【０００９】
このような手段によると、動作モード選択手段によって、充放電速度設定手段が選択されると、請求項１記載の発明での作用が実行され、動作モード選択手段によって、ゲイン電位設定手段が選択されると、画像特性検出手段によって、ＡＤ変換手段の出力画像信号のピクセルレベルの検出によって画像特性が検出され、得られる検出結果に基づいて、ゲイン電位設定手段によって、地肌信号出力手段のゲイン電位が変更設定されるので、地肌信号出力手段が設定されたゲイン電位に対応する地肌信号レベルの地肌信号を出力した状態での原稿読取りが行なわれる。
【００１０】
同様に前記目的を達成するために、請求項３記載の発明は、請求項２記載の画像読取装置に対して、前記画像特性検出手段が、予め設定した所定条件として前記ＡＤ変換手段の出力画像信号のピクセルレベルが所定のレベル以上、または所定のレベル以下である状態が連続しないことを検出すると、前記動作モード選択手段に前記ゲイン電位設定手段を選択させ、前記画像特性検出手段が前記予め設定した所定条件を検出しないと、前記動作モード選択手段に前記充放電速度設定手段を選択させて、前記地肌信号出力手段に地肌信号出力動作を行なわせる動作制御手段がさらに設けられていることを特徴とするものである。
【００１１】
このような手段によると、請求項２記載の発明での作用に加えて、画像特性検出手段が、予め設定した所定条件として前記ＡＤ変換手段の出力画像信号のピクセルレベルが所定のレベル以上、または所定のレベル以下である状態が連続しないことを検出すると、動作制御手段は動作モード選択手段にゲイン電位設定手段を選択させ、画像特性検出手段が前記予め設定した所定条件を検出しないと、動作制御手段は動作モード選択手段に充放電速度設定手段を選択させて、地肌信号出力手段に地肌信号出力動作を行なわせるので、自動的に画像特性検出手段の検出動作にそれぞれ対応して、原稿に対して適確で高精度の画像読取が行なわれる。
【００１２】
同様に前記目的を達成するために、請求項４記載の発明は、請求項３記載の画像読取装置において、
前記予め設定した所定条件が、３ピクセル以上連続した上限基準値を越えるピクセルレベルの検出、または３ピクセル以上連続した下限基準値を下回るピクセルレベルの検出であることを特徴とするものである。
【００１３】
このような手段によると、画像特性検出手段が、予め設定した所定条件として、３ピクセル以上連続して上限基準値を越えるピクセルレベルを検出するか、または、３ピクセル以上連続して下限基準値を下回るピクセルレベルを検出することにより、請求項３記載の発明での作用が実行される。
【００１４】
【発明の実施の形態】
本発明の一実施の形態を、図１ないし図７を参照して説明する。
図１は本実施の形態の全体構成を示すブロック図、図２は図１の要部の構成を示すブロック図、図３は図２のＭＴＦ補正ユニットの構成を示す説明図、図４は本実施の形態の走査パネルの構成を示す説明図、図５は本実施の形態のピーク値の保持・放出速度の調整動作を示す説明図、図６は本実施の形態の動作を示すフローチャート、図７は本実施の形態の画像読取り動作を従来の読取り動作との対比で示す説明図である。
【００１５】
本実施の形態では、図１に示すように、原稿１を撮像レンズＬを介して露光走査することにより、原稿を光学的に読み取るＣＣＤなどの光センサからなるラインセンサ２が設けられ、このラインセンサ２には、ラインセンサ２から光電変換されて出力される画像信号Ｆ１に対して、増幅、ノイズ除去、所定の白レベル設定などのアナログ処理を行なうアナログ処理回路３が接続されている。また、アナログ信号処理回路３の出力端子には、アナログ処理された画像信号Ｆ１’を、地肌除去した状態でＡＤ変換するＡＤ変換回路４の入力端子ｔ１と、ＡＤ変換回路４に地肌信号Ｆｄを入力する地肌信号出力回路６の入力端子ｔ３とが接続されている。
さらに、ＡＤ変換回路４には、ＡＤ変換回路４において地肌除去が施されてＡＤ変換された画像読取信号Ｆ２に対して、露光量と感光濃度の関係を補正するλ補正、オフセット処理、ＭＴＦ補正（空間周波数特性補正）、平滑化処理、センサの画素ごとの感度ばらつきと照明むらを補正するシェーディング補正、中間調を再現するディザ処理、孤立点除去処理、ＯＲ処理を施し、得られた画像データを利用装置へ提供する画像処理ブロック５が接続されている。
【００１６】
一方、本実施の形態には、アナログ信号処理回路３から出力される画像信号Ｆ１’、及びＡＤ変換回路４から出力される画像読取り信号Ｆ２に基づいて、地肌信号Ｆｄを作成し得られた地肌信号ＦｄをＡＤ変換回路４の入力端子ｔ２にリファレンス電圧Ｖｒｅｆとして供給する地肌信号出力回路６が設けられ、また、ラインセンサ２、アナログ信号処理回路３及び地肌出力回路６に対して、動作を制御するタイミング信号を出力するタイミング信号発生回路８が設けられている。
さらに、本実施の形態には、全体の動作を制御するＭＣＵ（Ｍａｉｎ  Ｃｏｎｔｒｏｌｌ  Ｕｎｉｔ；主制御ユニット）が設けられ、このＭＣＵ７が、タイミング信号発生回路８と地肌信号出力回路６とに、信号の授受が自在な状態で接続されている。
そして、本実施の形態には、図４に示すように、動作モードの選択と動作状態を選択設定するタッチ釦２７〜２９及び２８ａ〜２８ｃを備えた操作パネル２６が設けられ、オペレータがタッチ釦を選択操作することにより、対応する動作が行なわれるように構成されている。
【００１７】
本実施の形態の要部の構成を、地肌信号出力回路６を中心として、図１及び図２を参照して説明すると、アナログ信号処理回路３の出力端子が、地肌信号出力回路６の入力端子ｔ３と、ＡＤ変換回路４の入力端子ｔ１とに接続され、地肌信号回路６の出力端子が、ＡＤ変換回路４の入力端子ｔ２に接続されている。
この地肌信号出力回路６では、入力端子とアース間に、分圧抵抗Ｒ１、Ｒ２が互いに直列に接続され、分圧抵抗Ｒ１、Ｒ２の接続点が、バッファアンプ１３の非反転入力端子に接続され、バッファアンプ１３の出力端子とアース間には、抵抗Ｒ３、ダイオードＤ１及びコンデンサＣ１の直列接続回路が接続され、コンデンサＣ１に並列に抵抗Ｒ４が接続され、コンデンサＣ１と抵抗Ｒ４の接続点がバッファアンプ１３の反転入力端子に接続されている。また、バッファアンプ１３の反転入力端子は、バッファアンプ１５の非反転入力端子に接続され、バッファアンプ１５の出力端子とアース間には、ダイオードＤ２、分圧抵抗Ｒ７及び分圧抵抗Ｒ８の直列接続回路が接続され、分圧抵抗Ｒ７、Ｒ８の接続点がバッファアンプ１５の反転入力端子に接続され、さらに、バッファアンプ１５の非反転入力端子が、トランジスタ１６のコレクタに接続され、トランジスタ１６のエミッタはアースされている。
【００１８】
一方、ＡＤ変換回路４の出力端子には、ＡＤ変換回路４から出力される画像読取信号Ｆ２に基づいて、ＭＴＦ補正演算を行い、得られた補正値を出力するＭＴＦ補正ユニット１０と、ＡＤ変換回路４からの画像読取信号Ｆ２から画像特性を検出し、白ピーク検出回路１４の動作制御の判定指令を行なう特徴値検出回路１２とが、互いに並列に接続されている。
また、特徴値検出回路１２の出力端子は、特徴値検出回路１２からの判定指令に基づいて、白ピーク検出回路１４の動作の制御を選択実行する選択制御ユニット２３の制御端子に接続され、選択制御ユニット２３の入力端子には、ＭＴＦ補正ユニット１０の出力端子と、バッファアンプ１３のゲイン電位を供給するゲイン電位供給回路１１の出力端子とがそれぞれ接続され、選択制御ユニット２３の出力端子には、白ピーク検出回路１４の時定数を変更する時定数変更回路２４ａと、バッファアンプ１３のゲインを変更するゲイン変更回路２４ｂとがそれぞれ接続されている。
【００１９】
そして、タイミング信号発生回路８の出力端子とアース間に、抵抗Ｒ５と抵抗Ｒ６が直列に接続され、抵抗Ｒ５と抵抗Ｒ６の接続点が、トランジスタ１６のベースに接続され、タイミング信号発生回路８からは、地肌信号出力回路６のピーク値検出動作の副走査方向のゲート信号となるタイミング信号ＡＥＭＯＤＥが、地肌信号出力回路６に出力されるように構成されている。また、タイミング信号発生回路８の他の出力端子が、ＮＯＴ回路３７を介して、バッファアンプ１３の非反転入力端子に接続され、タイミング信号発生回路８からは、ピーク値検出動作の主走査方向のゲート信号となるタイミング信号ＰＷＩＮＤが出力されるように構成されている。
【００２０】
さらに、ＭＴＦ補正ユニット１０は、図３に示すように構成され、ＡＤ変換回路４から出力される画像読取信号Ｆ２のデータＮが入力され、ＭＴＦ補正が行なわれる１×５マトリクス構成のＭＦＴ補正回路２０に、ＭＦＴ補正回路２０で得られる補正値Ｎ’から、補正倍率ａを演算する補正値演算回路２１が接続され、補正値演算回路２１に補正倍率ａを判定して判別値Ｈを出力する倍率判別回路２２が接続され、倍率判別回路２２には、判別値Ｈに基づいて補正値を換算する補正値換算回路２５が接続されている。
【００２１】
このような構成の本実施の形態の動作を説明する。
原稿１が露光走査によって、撮像レンズＬを介してラインセンサ２により光学的に読み取られ、読取り光信号が光電変換されて、ラインセンサ２からは画像信号Ｆ１が出力されてアナログ信号処理回路３に入力され、アナログ信号処理回路３によって、画像信号Ｆ１に対して、増幅、ノイズ除去、所定の白レベル設定などのアナログ処理が行なわれる。
このようなアナログ処理が施された画像信号Ｆ１’は、地肌信号出力回路６において、分割抵抗Ｒ１、Ｒ２で電圧値が分割され、得られる電圧値の画像信号がバッファアンプ１３の非反転入力端子に入力され、バッファアンプ１３によって増幅され、バッファアンプ１３から出力される画像信号は、コンデンサＣ１に充電時定数τｃｏ＝Ｒ３・Ｃ１で充電され、次いで放電時定数τｄｏ＝Ｒ４・Ｃ１でコンデンサＣ１から放電される。
【００２２】
このようにして、充放電を繰り返す画像信号に対応する電圧信号がバッファアンプ１５の非反転入力端子に入力され、分圧抵抗Ｒ７、Ｒ８を介して増幅され、得られる地肌信号が地肌信号出力回路６から出力されて、ＡＤ変換回路４の入力端子ｔ２にリファレンス電圧Ｖｒｅｆとして入力される。
そこで、ＡＤ変換回路４では、入力端子ｔ１から入力される画像信号Ｆ１’に対応する入力電圧Ｖｉｎと、入力端子ｔ２から入力される地肌信号Ｆｄに対応するリファレンス電圧Ｖｒｅｆとに基づいて、画像信号Ｆ１’を地肌除去を施した状態でＡＤ変換し、ＡＤ変換回路４からは画像読取信号Ｆ２が出力される。
【００２３】
ＡＤ変換回路４から出力される画像読取信号Ｆ２は、ＭＴＦ補正ユニット１０に入力され、１×４のマトリクス構成のＭＴＦ補正回路２０において、読取画像の鮮鋭度を規定する空間周波数特性（ＭＴＦ）を、予め設定したマトリクス数値に基づく補正強度で補正することにより補正データＮ’が得られる。この場合、マトリクスの数値を変更することにより、ＭＴＦ補正のレベルの変更ができる。
次いで、補正率演算回路２１において、補正前の画像読取信号Ｆ２のデータＮと、ＭＴＦ補正回路２０で得られた補正データＮ’との比が、補正倍率ａ＝Ｎ’／Ｎとして演算される。このようにして、演算された補正倍率ａが倍率判別回路２２に入力され、補正倍率ａに対応して判別値Ｈが判別設定され、２≧ａ＞１であればＨ＝ａ、ａ≦１であればＨ＝１、ａ＞２であればＨ＝２と設定される。
次いで、補正倍率ａに対応して判別設定された判別値Ｈは、補正値換算回路２５に入力され、充放電の時定数を変更補正する補正値に換算される。
【００２４】
ところで、本実施の形態では、特徴値検出回路１２によるＡＤ変換回路４から出力される画像読取信号Ｆ２の画像特性の検出に基づいて、地肌信号出力回路６の動作特性の制御が行なわれるが、この動作を図６のフローチャートを参照して説明する。
本実施の形態では、図６のフローチャートのステップＳ１で、ＡＤ変換回路４から出力される画像読取信号Ｆ２は、特徴値検出回路１２に取り込まれて画像特性が検出され、ステップＳ２に進んで、この画像特性の検出において、３ピクセル以上連続して上限基準値（ｅｘ６０％）を越えるレベルのピクセル検出が行なわれるか否かの判定が行なわれる。ステップＳ２の判定がＮＯであると、ステップＳ３に進んで、３ピクセル以上連続して下限基準値（ｅｘ２０％）を下回るレベルのピクセル検出が行なわれるか否かの判定が行なわれる。そして、ステップＳ３の判定がＮＯであると、特徴値検出回路１２からは、白ピーク検出回路１４の充放電時定数の変更制御の指令信号が選択制御ユニット２３に入力される。
【００２５】
この場合は、ステップＳ６に進んで、選択制御ユニット２３では、特徴値検出回路１２から、充放電時定数の変更制御の指令信号が入力されると、ＭＴＦ補正ユニット１０の補正値換算回路２５から判別値Ｈに対応する補正値を取込み、この補正値に基づいて、時定数変更回路２４ａによって、図５に示すように、白ピーク検出回路１４の充電時定数をτｃｏからτｃｆに、放電時定数をτｄｏからτｄｆに変更して、白ピーク検出回路１４の充放電動作の速度が高められる。
そして、ステップＳ７に進んで、白ピーク検出回路１４は、変更された充電時定数τｃｆと変更された放電時定数τｄｆとにより、ピーク値の充放電動作を行なうので、白ピーク検出回路１４は、例えば図７（ａ）に示すように、網点部の縁取り３３と文字画像３５が存在する原稿３０を読み取る場合、この網点部３３を地肌と見做さず、適確に網点画像として検出し、ＭＴＦ補正の効果を反映させた画像の読取りが行なわれ、画像読取信号Ｆ２の品質を向上させて、図７（ｂ）に示すように、原稿１に対する高精度の読取画像３１が読み取られる。
【００２６】
一方、ステップＳ２で、３ピクセル以上連続して上限基準値（ｅｘ６０％）を越えるレベルのピクセル検出が行なわれたと判定され、或いはステップＳ３で、３ピクセル以上連続して下限基準値（ｅｘ２０％）を下回るレベルのピクセル検出が行なわれたと判定されると、ステップＳ４に進んで、特徴値検出回路１２からは、バッファアンプ１３のゲイン変更制御の指令信号が選択制御ユニット２３に入力される。
この場合、選択制御ユニット２３では、バッファアンプ１３の電位変更により、現在の３ピクセル以上連続して上限基準値（ｅｘ６０％）を越えるレベルのピクセル検出、或いは、３ピクセル以上連続して下限基準値（ｅｘ２０％）を下回るレベルのピクセル検出の状態が改善できるか否かが判定される。そして、ピクセルレベルの検出状態が改善できると判定された場合には、特徴値検出回路１２から、ゲイン制御の指令信号が入力されると、ゲイン電位供給回路１１から対応するゲイン電位を取り込んで、ゲイン変更回路２４ｂに出力し、ゲイン変更回路２４ｂによってバッファアンプ１３のゲインを変更し、ＡＤ変換回路４での地肌除去レベルを変更することにより、画像特性のピクセルレベルの検出状態を改善する。また、現在のピクセルレベルの検出状態が、バッファアンプ１３のゲイン変更で改善されないと判定されると現在のゲイン電位が維持される。
【００２７】
以上に説明したように、本実施の形態によると、アナログ信号処理回路３から出力される画像信号Ｆ１’の分圧電圧がバッファアンプ１３の非反転入力端子に入力され、コンデンサＣ１への時定数τｃｏ＝Ｒ３・Ｃ１での充電と、時定数τｄｏ＝Ｃ１・Ｒ４で放電とを繰り返してピーク値が保持され、バッファアンプ１５から出力される地肌信号が、リファレンス電圧Ｖｒｅｆとして供給され、ＡＤ変換回路４からは、画像信号Ｆ１’が地肌除去されＡＤ変換された画像信号Ｆ２を出力される。
この場合、特徴値検出回路１２によるピクセルレベルの検出で検出される画像信号Ｆ２の画像特性が所定条件にあると、ＭＴＦ補正ユニット１０が行なう画像信号Ｆ２のＭＴＦ補正で得られる補正倍率ａの判定値Ｈに対応する補正値が補正値換算回路２５から取込まれ、この補正値により時定数変更回路２４ａによって、白ピーク検出回路１４の充電時定数がτｃｏからτｃｆに、放電時定数がτｄｏからτｄｆに変更され、白ピーク検出回路１４の充放電動作の速度が高められる。
そして、白ピーク検出回路１４によって、変更された充電時定数τｃｆと変更された放電時定数τｄｆとにより、ピーク値の高速度の充放電動作が行なわれるので、例えば、網点部の縁取りのある原稿を読み取る場合、この網点部を地肌と見做さず、適確に網点画像として検出し、ＭＴＦ補正の効果を反映させた画像の読取りが行なわれ、原稿の読取りを地肌を適確に表示して高精度に行なうことが可能になる。
【００２８】
【発明の効果】
請求項１記載の発明では、撮像手段の露光走査によって原稿が読取られて、光電変換された画像信号が出力され、アナログ処理手段によって、撮像手段から出力される画像信号がアナログ処理され、地肌信号出力手段によって、アナログ処理手段の出力画像信号が増幅され、ピーク値の検出保持と放出とが充放電回路により繰り返されることによって地肌信号が作成出力され、得られた地肌信号をリファレンス信号として、ＡＤ変換手段によってアナログ処理手段の出力画像信号に対して、地肌除去処理を施した状態でＡＤ変換が行なわれる。この場合、画像特性検出手段によって、ＡＤ変換手段の出力画像信号の画像特性が、該出力画像信号のピクセルレベルが所定のレベル以上、または所定のレベル以下である状態が連続するか否かにより検出され、得られる検出結果に基づいて、充放電速度設定手段によって、地肌信号出力手段の充電速度及び放電速度を変更設定（例えば、高速に）されるので、原稿に細かい網点や地紋が存在する際における地肌除去動作の動作特性の劣化を避けて、原稿の細かい網点や地紋を忠実に読み取ることにより高品質の原稿読取りが行なわれる。
【００２９】
請求項２記載の発明によると、動作モード選択手段によって、充放電速度設定手段が選択されると、請求項１記載の発明で得られる効果の実現が可能になり、動作モード選択手段によって、ゲイン電位設定手段が選択されると、画像特性検出手段によって、ＡＤ変換手段の出力画像信号のピクセルレベルの検出によって画像特性が検出され、得られる検出結果に基づいて、ゲイン電位設定手段によって、地肌信号出力手段のゲイン電位が変更設定されるので、地肌信号出力手段が設定されたゲイン電位に対応する地肌信号レベルの地肌信号を出力した状態での原稿読取りが可能になる。
【００３０】
請求項３記載の発明によると、請求項２記載の発明で得られる効果に加えて、画像特性検出手段が、予め設定した所定条件としてＡＤ変換手段の出力画像信号のピクセルレベルが所定のレベル以上、または所定のレベル以下である状態が連続しないことを検出すると、動作制御手段は動作モード選択手段にゲイン電位設定手段を選択させ、画像特性検出手段が前記予め設定した所定条件を検出しないと、動作制御手段は動作モード選択手段に充放電速度設定手段を選択させて、地肌信号出力手段に地肌信号出力動作を行なわせるので、自動的に画像特性検出手段の検出動作にそれぞれ対応して、原稿に対して適確で高精度の画像読取が行なわれる。
【００３１】
請求項４記載の発明によると、画像特性検出手段が、予め設定した所定条件として、３ピクセル以上連続して上限基準値を越えるピクセルレベルを検出するか、または、３ピクセル以上連続して下限基準値を下回るピクセルレベルを検出することにより、請求項３記載の発明で得られる効果が実現可能になる。
【図面の簡単な説明】
【図１】本発明の一実施の形態の全体構成を示すブロック図である。
【図２】図１の要部の構成を示すブロック図である。
【図３】図２のＭＴＦ補正ユニットの構成を示す説明図である。
【図４】同実施の形態の走査パネルの構成を示す説明図である。
【図５】同実施の形態のピーク値の保持・放出速度の調整動作を示す説明図である。
【図６】同実施の形態の動作を示すフローチャートである。
【図７】同実施の形態の画像読取り動作を従来の読取り動作との対比で示す説明図である。
【符号の説明】
１  原稿
２  ラインセンサ
３  アナログ信号処理回路
４  ＡＤ変換回路
６  地肌信号出力回路
１０  ＭＴＦ補正ユニット
１２  特徴値検出回路
１３  バッファアンプ
１４  白ピーク検出回路
１５  バッファアンプ
２０  ＭＴＦ補正回路
２３  選択制御ユニット
２５  補正値演算回路
【図１】
0004076127.tif 000002
【図２】
0004076127.tif 000003
【図３】
0004076127.tif 000004
【図４】
0004076127.tif 000005
【図５】
0004076127.tif 000006
【図６】
0004076127.tif 000007
【図７】
0004076127.tif 000008